【事件の表示】
　特願２００８−２２７５１５「画像処理プログラム、画像処理装置、画像処理方法、および画像処理システム」拒絶査定不服審判事件〔平成２２年　３月１８日出願公開、特開２０１０−　６１４７２、請求項の数（３０）〕について、次のとおり審決する。
【結　論】
　原査定を取り消す。
　本願の発明は、特許すべきものとする。
【理　由】
１　経緯等
（１）経緯
　本件出願は、平成２０年９月４日の出願であって、平成２４年９月２５日付けで拒絶理由の通知がなされ、これに対し、平成２４年１１月２２日付けで手続補正がなされたが、平成２５年１月９日付けで拒絶査定がなされたものである。
　本件は、上記拒絶査定を不服として平成２５年４月８日付けで請求された拒絶査定不服審判であって、同日付けで手続補正（請求と同時にする補正）がなされたものである。
　
（２）査定の概要
　補正された請求項１に記載された発明は、他の特許出願（特願２００８−５４７３７号）（特開２００９−２０７７３０号公報）の当初明細書等に記載された発明と同一であり、特許法第２９条の２の規定により、特許を受けることができない。
　
２　補正の却下の決定
　平成２５年４月８日付けの手続補正について次のとおり決定する。
　
〈補正の却下の決定の結論〉
　平成２５年４月８日付けの手続補正を却下する。
　
〈補正の却下の決定の理由〉
（１）補正の内容
　平成２５年４月８日付けの手続補正（以下、本件補正という）は、特許請求の範囲を次のように補正する補正を含むものである。
　
（補正前）
【請求項１】
　ポインティングデバイスからの出力に応じて生成された画像に所定の処理を施す装置のコンピュータで実行される画像処理プログラムであって、
　前記コンピュータを、
　　前記ポインティングデバイスの出力に基づいて、入力画像を生成する画像生成手段と、
　　前記画像生成手段が生成した入力画像を表示手段に表示する画像表示制御手段と、
　　前記画像生成手段が生成した入力画像を複数の部分画像に分解し、当該部分画像（ただし、入力画像の形状にかかわらず予め設定された複数の固定的な領域に当該入力画像が分解された複数の部分画像を除く）ごとに、表示位置および表示態様の少なくとも一方を変更する処理を実行する画像変更制御手段として機能させる、画像処理プログラム。
　
【請求項２】
　前記画像変更制御手段は、ユーザによって消去操作が実行された場合、当該消去操作の対象となった部分画像を対象として前記変更する処理を行って、変更後の画像を前記表示手段に表示し、当該表示後に当該対象となった部分画像を表示画面から消去する、請求項１に記載の画像処理プログラム。
　
【請求項３】
　前記画像変更制御手段は、前記入力画像の表示領域を複数画素で構成されるブロックに分割し、当該ブロックを単位として、前記入力画像を複数の部分画像に分解する、請求項１または２に記載の画像処理プログラム。
　
【請求項４】
　ポインティングデバイスからの出力に応じて生成された画像に所定の処理を施す装置のコンピュータで実行される画像処理プログラムであって、
　前記コンピュータを、
　　前記ポインティングデバイスの出力に基づいて、入力画像を生成する画像生成手段と、
　　前記画像生成手段が生成した入力画像を表示手段に表示する画像表示制御手段と、
　　前記画像生成手段が生成した入力画像を複数の部分画像に分解し、当該部分画像ごとに、表示位置および表示態様の少なくとも一方を変更する処理を実行する画像変更制御手段と、
　前記入力画像について、連続している部分を判定する連続判定手段として機能させ、
　前記画像変更制御手段は、前記連続判定手段による判定に基づいて、連続している部分が同じ部分画像に属するように、前記入力画像を複数の部分画像に分解する、画像処理プログラム。
　
【請求項５】
　前記画像変更制御手段は、前記入力画像の表示領域を複数画素で構成されるブロックに分割し、当該ブロックを単位として、前記入力画像を複数の部分画像に分解し、
　前記連続判定手段は、前記入力画像がまたがるブロックを連続していると判定し、
　前記画像変更制御手段は、さらに、前記連続判定手段による判定に基づいて、連続しているブロックが同じ部分画像に属するように、前記入力画像を複数の部分画像に分解する、請求項４に記載の画像処理プログラム。
　
【請求項６】
　前記連続判定手段は、隣接する２つの前記ブロックのいずれか一方の隣接領域に前記入力画像が含まれている場合、当該２つのブロックが連続していると判定する、請求項５に記載の画像処理プログラム。
　
【請求項７】
　前記連続判定手段は、隣接する２つの前記ブロックの両方の隣接領域に前記入力画像が含まれている場合、当該２つのブロックが連続していると判定する、請求項５に記載の画像処理プログラム。
　
【請求項８】
　前記連続判定手段は、前記２つのブロックの一方ブロックの隣接領域に含まれる前記入力画像と、他方ブロックの隣接領域に含まれる前記入力画像が連続していることをさらに判定し、連続している場合に、当該２つのブロックが連続していると判定する、請求項７に記載の画像処理プログラム。
　
【請求項９】
　前記連続判定手段は、或るブロックに連続していると判定した隣接ブロックにおいて、当該隣接ブロックと、当該隣接ブロックにさらに隣接する他のブロックが連続しているか否かを判定し、連続している場合に、当該或るブロックと当該隣接ブロックと当該他のブロックとが連続していると判定する、請求項５に記載の画像処理プログラム。
　
【請求項１０】
　前記画像変更制御手段は、前記部分画像を構成する要素画像に対してそれぞれ同じ移動方向に同じ移動速度を与えることによって、前記部分画像ごとに表示位置を変更する、請求項１に記載の画像処理プログラム。
　
【請求項１１】
　前記画像変更制御手段は、前記連続判定手段によって、連続していると判定された各ブロックに対して、それぞれ同じ移動方向に同じ移動速度を与えることによって、前記部分画像ごとに表示位置を変更する、請求項５に記載の画像処理プログラム。
　
【請求項１２】
　前記装置は、当該装置周辺を撮像する撮像手段を備え、
　前記画像表示制御手段は、前記撮像手段で撮像された撮像画像をリアルタイムで前記表示手段に表示して、前記画像生成手段が生成した入力画像を当該撮像画像に重畳して前記表示手段に表示する、請求項１または２に記載の画像処理プログラム。
　
【請求項１３】
　前記画像生成手段は、前記ポインティングデバイスの出力に基づく手書き画像を生成する、請求項１または２に記載の画像処理プログラム。
　
【請求項１４】
　前記画像生成手段は、前記ポインティングデバイスの出力に基づく位置に表示される所定の合成用画像を生成する、請求項１または２に記載の画像処理プログラム。
　
【請求項１５】
　前記画像生成手段は、第１の前記入力画像が生成された後、前記ポインティングデバイスの出力に基づいて、第２の前記入力画像を生成し、
　前記画像表示制御手段は、前記第１の入力画像と前記第２の入力画像を合成して表示し、
　前記画像変更制御手段は、前記第１の入力画像および前記第２の入力画像を合成した画像を１つの画像として当該画像を分解する、請求項１または２に記載の画像処理プログラム。
　
【請求項１６】
　前記画像変更制御手段は、ユーザによって全てを消去する消去操作が実行された場合、前記入力画像の全体を複数の部分画像に分解し、当該複数の部分画像の全てについて、表示位置および表示態様の少なくとも一方を変更する処理をそれぞれ行って前記表示手段に表示し、当該表示後に当該部分画像を全て表示画面から消去する、請求項２に記載の画像処理プログラム。
　
【請求項１７】
　前記画像変更制御手段は、前記部分画像ごとに異なる表示位置に移動させて前記表示手段に表示させる、請求項２に記載の画像処理プログラム。
　
【請求項１８】
　前記画像変更制御手段は、前記部分画像ごとに前記表示画面外まで移動させることによって、当該画像を当該表示画面から消去する、請求項１７に記載の画像処理プログラム。
　
【請求項１９】
　前記画像変更制御手段は、前記部分画像ごとに異なる方向の初速度を与えた後、前記複数の部分画像に共通の特定方向の加速度を与えることによって、当該画像を当該表示画面から消去する、請求項１７に記載の画像処理プログラム。
　
【請求項２０】
　前記ポインティングデバイスは、前記表示手段の表示画面を覆うタッチパネルである、請求項１または２に記載の画像処理プログラム。
　
【請求項２１】
　前記画像変更制御手段は、前記画像生成手段が生成した入力画像を、それぞれ画像の色毎に分解する、請求項１または２に記載の画像処理プログラム。
　
【請求項２２】
　前記ポインティングデバイスから出力される入力位置の履歴をメモリに記憶する入力位置履歴記憶制御手段として、さらに前記コンピュータを機能させ、
　前記画像変更制御手段は、前記入力位置の履歴に基づいて、前記画像生成手段が入力画像の生成に用いた入力位置のうち、当該入力位置の出力が途切れずに連続した入力位置群から生成された入力画像毎に、前記画像生成手段が生成した入力画像を分解する、請求項１または２に記載の画像処理プログラム。
　
【請求項２３】
　前記画像変更制御手段は、前記分解した部分画像ごとにそれぞれ回転させて前記表示手段に表示させる、請求項１に記載の画像処理プログラム。
　
【請求項２４】
　前記画像変更制御手段は、前記分解した部分画像ごとにそれぞれ拡大または縮小して前記表示手段に表示させる、請求項１に記載の画像処理プログラム。
　
【請求項２５】
　前記画像変更制御手段は、前記分解した部分画像ごとにそれぞれ画像色を変更して前記表示手段に表示させる、請求項１に記載の画像処理プログラム。
　
【請求項２６】
　前記画像変更制御手段は、前記分解した部分画像ごとにそれぞれ点滅させて前記表示手段に表示させる、請求項１に記載の画像処理プログラム。
　
【請求項２７】
　ポインティングデバイスからの出力に応じて生成された画像に所定の処理を施す画像処理装置であって、
　前記ポインティングデバイスの出力に基づいて、入力画像を生成する画像生成手段と、
　前記画像生成手段が生成した入力画像を表示手段に表示する画像表示制御手段と、
　前記画像生成手段が生成した入力画像を複数の部分画像に分解し、当該部分画像（ただし、入力画像の形状にかかわらず予め設定された複数の固定的な領域に当該入力画像が分解された複数の部分画像を除く）ごとに、表示位置および表示態様の少なくとも一方を変更する処理を実行する画像変更制御手段とを備える、画像処理装置。
　
【請求項２８】
　ポインティングデバイスからの出力に応じて生成された画像に所定の処理を施す画像処理方法であって、
　前記ポインティングデバイスの出力に基づいて、入力画像を生成する画像生成ステップと、
　前記画像生成ステップで生成された入力画像を表示手段に表示する画像表示制御ステップと、
　前記画像生成ステップで生成された力画像を複数の部分画像に分解し、当該部分画像（ただし、入力画像の形状にかかわらず予め設定された複数の固定的な領域に当該入力画像が分解された複数の部分画像を除く）ごとに、表示位置および表示態様の少なくとも一方を変更する処理を実行する画像変更制御ステップとを備える、画像処理方法。
　
【請求項２９】
　ポインティングデバイスからの出力に応じて生成された画像に所定の処理を施す画像処理システムであって、
　前記ポインティングデバイスの出力に基づいて、入力画像を生成する画像生成手段と、
　前記画像生成手段が生成した入力画像を表示手段に表示する画像表示制御手段と、
　前記画像生成手段が生成した入力画像を複数の部分画像に分解し、当該部分画像（ただし、入力画像の形状にかかわらず予め設定された複数の固定的な領域に当該入力画像が分解された複数の部分画像を除く）ごとに、表示位置および表示態様の少なくとも一方を変更する処理を実行する画像変更制御手段とを備える、画像処理システム。
　
【請求項３０】
　ポインティングデバイスからの出力に応じて生成された画像に所定の処理を施す画像処理システムであって、
　前記ポインティングデバイスの出力に基づいて、入力画像を生成する画像生成手段と、
　前記画像生成手段が生成した入力画像を表示手段に表示する画像表示制御手段と、
　前記画像生成手段が生成した入力画像を複数の部分画像に分解し、当該部分画像ごとに、表示位置および表示態様の少なくとも一方を変更する処理を実行する画像変更制御手段と、
　前記入力画像について、連続している部分を判定する連続判定手段として機能させ、
　前記画像変更制御手段は、前記連続判定手段による判定に基づいて、連続している部分が同じ部分画像に属するように、前記入力画像を複数の部分画像に分解する、画像処理システム。
　
を、
（補正後）
【請求項１】
　ポインティングデバイスからの出力に応じて生成された画像に所定の処理を施す装置のコンピュータで実行される画像処理プログラムであって、
　前記コンピュータを、
　　前記ポインティングデバイスの出力に基づいて、入力画像を生成する画像生成手段と、
　　前記画像生成手段が生成した入力画像を表示手段に表示する画像表示制御手段と、
　　前記画像生成手段が生成した入力画像を複数の部分画像に分解し、当該部分画像ごとに、表示位置および表示態様の少なくとも一方を変更する処理を実行する画像変更制御手段と、
　　前記入力画像について、連続している部分を判定する連続判定手段として機能させ、
　前記画像変更制御手段は、前記連続判定手段による判定に基づいて、連続している部分が同じ部分画像に属するように、前記入力画像を複数の部分画像に分解する、画像処理プログラム。
　
【請求項２】
　前記画像変更制御手段は、ユーザによって消去操作が実行された場合、当該消去操作の対象となった部分画像を対象として前記変更する処理を行って、変更後の画像を前記表示手段に表示し、当該表示後に当該対象となった部分画像を表示画面から消去する、請求項１に記載の画像処理プログラム。
　
【請求項３】
　前記画像変更制御手段は、前記入力画像の表示領域を複数画素で構成されるブロックに分割し、当該ブロックを単位として、前記入力画像を複数の部分画像に分解し、
　前記連続判定手段は、前記入力画像がまたがるブロックを連続していると判定し、
　前記画像変更制御手段は、さらに、前記連続判定手段による判定に基づいて、連続しているブロックが同じ部分画像に属するように、前記入力画像を複数の部分画像に分解する、請求項１に記載の画像処理プログラム。
　
【請求項４】
　前記画像変更制御手段は、前記部分画像を構成する要素画像に対してそれぞれ同じ移動方向に同じ移動速度を与えることによって、前記部分画像ごとに表示位置を変更する、請求項１に記載の画像処理プログラム。
　
【請求項５】
　前記装置は、当該装置周辺を撮像する撮像手段を備え、
　前記画像表示制御手段は、前記撮像手段で撮像された撮像画像をリアルタイムで前記表示手段に表示して、前記画像生成手段が生成した入力画像を当該撮像画像に重畳して前記表示手段に表示する、請求項１または２に記載の画像処理プログラム。
　
【請求項６】
　前記画像生成手段は、前記ポインティングデバイスの出力に基づく位置に表示される所定の合成用画像を生成する、請求項１または２に記載の画像処理プログラム。
　
【請求項７】
　前記画像生成手段は、第１の前記入力画像が生成された後、前記ポインティングデバイスの出力に基づいて、第２の前記入力画像を生成し、
　前記画像表示制御手段は、前記第１の入力画像と前記第２の入力画像を合成して表示し、
　前記画像変更制御手段は、前記第１の入力画像および前記第２の入力画像を合成した画像を１つの画像として当該画像を分解する、請求項１または２に記載の画像処理プログラム。
　
【請求項８】
　前記画像変更制御手段は、前記部分画像ごとに異なる表示位置に移動させて前記表示手段に表示させる、請求項２に記載の画像処理プログラム。
　
【請求項９】
　前記画像変更制御手段は、前記部分画像ごとに前記表示画面外まで移動させることによって、当該画像を当該表示画面から消去する、請求項８に記載の画像処理プログラム。
　
【請求項１０】
　前記画像変更制御手段は、前記分解した部分画像ごとにそれぞれ回転させて前記表示手段に表示させる、請求項１に記載の画像処理プログラム。
　
【請求項１１】
　前記画像変更制御手段は、前記分解した部分画像ごとにそれぞれ拡大または縮小して前記表示手段に表示させる、請求項１に記載の画像処理プログラム。
　
【請求項１２】
　前記画像変更制御手段は、前記分解した部分画像ごとにそれぞれ画像色を変更して前記表示手段に表示させる、請求項１に記載の画像処理プログラム。
　
【請求項１３】
　前記画像変更制御手段は、前記分解した部分画像ごとにそれぞれ点滅させて前記表示手段に表示させる、請求項１に記載の画像処理プログラム。
　
【請求項１４】
　ポインティングデバイスからの出力に応じて生成された画像に所定の処理を施す装置のコンピュータで実行される画像処理プログラムであって、
　前記コンピュータを、
　　前記ポインティングデバイスの出力に基づいて、入力画像を生成する画像生成手段と、
　　前記画像生成手段が生成した入力画像を表示手段に表示する画像表示制御手段と、
　　前記画像生成手段が生成した入力画像を複数の部分画像に分解し、当該部分画像（ただし、入力画像の形状にかかわらず予め設定された複数の固定的な領域に当該入力画像が分解された複数の部分画像を除く）ごとに、表示位置および表示態様の少なくとも一方を変更する処理を実行する画像変更制御手段として機能させ、
　前記画像変更制御手段は、前記画像生成手段が生成した入力画像を、それぞれ画像の色毎に分解する、画像処理プログラム。
　
【請求項１５】
　ポインティングデバイスからの出力に応じて生成された画像に所定の処理を施す装置のコンピュータで実行される画像処理プログラムであって、
　前記コンピュータを、
　　前記ポインティングデバイスの出力に基づいて、入力画像を生成する画像生成手段と、
　　前記画像生成手段が生成した入力画像を表示手段に表示する画像表示制御手段と、
　　前記画像生成手段が生成した入力画像を複数の部分画像に分解し、当該部分画像（ただし、入力画像の形状にかかわらず予め設定された複数の固定的な領域に当該入力画像が分解された複数の部分画像を除く）ごとに、表示位置および表示態様の少なくとも一方を変更する処理を実行する画像変更制御手段と、
　　前記ポインティングデバイスから出力される入力位置の履歴をメモリに記憶する入力位置履歴記憶制御手段として機能させ、
　前記画像変更制御手段は、前記入力位置の履歴に基づいて、前記画像生成手段が入力画像の生成に用いた入力位置のうち、当該入力位置の出力が途切れずに連続した入力位置群から生成された入力画像毎に、前記画像生成手段が生成した入力画像を分解する、画像処理プログラム。
　
【請求項１６】
　ポインティングデバイスからの出力に応じて生成された画像に所定の処理を施す画像処理システムであって、
　前記ポインティングデバイスの出力に基づいて、入力画像を生成する画像生成手段と、
　前記画像生成手段が生成した入力画像を表示手段に表示する画像表示制御手段と、
　前記画像生成手段が生成した入力画像を複数の部分画像に分解し、当該部分画像ごとに、表示位置および表示態様の少なくとも一方を変更する処理を実行する画像変更制御手段と、
　前記入力画像について、連続している部分を判定する連続判定手段として機能させ、
　前記画像変更制御手段は、前記連続判定手段による判定に基づいて、連続している部分が同じ部分画像に属するように、前記入力画像を複数の部分画像に分解する、画像処理システム。
　
【請求項１７】
　ポインティングデバイスからの出力に応じて生成された画像に所定の処理を施す画像処理装置であって、
　前記ポインティングデバイスの出力に基づいて、入力画像を生成する画像生成手段と、
　前記画像生成手段が生成した入力画像を表示手段に表示する画像表示制御手段と、
　前記画像生成手段が生成した入力画像を複数の部分画像に分解し、当該部分画像（ただし、入力画像の形状にかかわらず予め設定された複数の固定的な領域に当該入力画像が分解された複数の部分画像を除く）ごとに、表示位置および表示態様の少なくとも一方を変更する処理を実行する画像変更制御手段と、
　前記入力画像について、連続している部分を判定する連続判定手段とを備え、
　前記画像変更制御手段は、前記連続判定手段による判定に基づいて、連続している部分が同じ部分画像に属するように、前記入力画像を複数の部分画像に分解する、画像処理装置。
　
【請求項１８】
　ポインティングデバイスからの出力に応じて生成された画像に所定の処理を施す画像処理方法であって、
　前記ポインティングデバイスの出力に基づいて、入力画像を生成する画像生成ステップと、
　前記画像生成ステップで生成された入力画像を表示手段に表示する画像表示制御ステップと、
　前記画像生成ステップで生成された力画像を複数の部分画像に分解し、当該部分画像（ただし、入力画像の形状にかかわらず予め設定された複数の固定的な領域に当該入力画像が分解された複数の部分画像を除く）ごとに、表示位置および表示態様の少なくとも一方を変更する処理を実行する画像変更制御ステップと、
　前記入力画像について、連続している部分を判定する連続判定ステップとを備え、
　前記画像変更制御ステップでは、前記連続判定ステップでの判定に基づいて、連続している部分が同じ部分画像に属するように、前記入力画像を複数の部分画像に分解する、画像処理方法。
　
と補正する。
　
（２）補正の適法性
　上記補正は、補正前の独立請求項である請求項４を補正後の請求項１とし、補正前の請求項４に従属していた請求項５を補正後の請求項３とし、補正前の請求項４に従続していた請求項６ないし９、１１を削除し、補正後の請求項１に、新たに、請求項２、４ないし１３を従属させる補正事項を含んでいる。
　この新たに補正後の請求項１に従属させる請求項２、４ないし１３は、補正後の請求項１に対応する補正前の請求項４に、新たに従属させる請求項２、４ないし１３に対応する補正前の請求項が存在しないことから、補正後の請求項１に、新たに、請求項２、４ないし１３を従属させる補正は、請求項を増加させる補正というべきであり、特許法第１７条の２第５項で規定する補正の目的のいずれにも適合しない。
　
（３）補正却下のまとめ
　以上のとおり、平成２５年４月８日付け手続補正は特許法第１７条の２第５項の規定に違反するので、同法第１５９条第１項において読み替えて準用する同法第５３条第１項の規定により却下すべきものである。
　よって、補正の却下の決定の結論のとおり、決定する。
　
３　本願発明
　上記のとおり、平成２５年４月８日付けの手続補正を却下する。
　したがって、本件出願の請求項１ないし３０に係る発明は、平成２４年１１月２２日付けで補正された特許請求の範囲の請求項１ないし３０に記載されたとおりのものであり、その請求項１に係る発明（以下、「本願発明」ともいう）は次のとおりである。
　
［本願発明］（請求項１）
　ポインティングデバイスからの出力に応じて生成された画像に所定の処理を施す装置のコンピュータで実行される画像処理プログラムであって、
　前記コンピュータを、
　　前記ポインティングデバイスの出力に基づいて、入力画像を生成する画像生成手段と、
　　前記画像生成手段が生成した入力画像を表示手段に表示する画像表示制御手段と、
　　前記画像生成手段が生成した入力画像を複数の部分画像に分解し、当該部分画像（ただし、入力画像の形状にかかわらず予め設定された複数の固定的な領域に当該入力画像が分解された複数の部分画像を除く）ごとに、表示位置および表示態様の少なくとも一方を変更する処理を実行する画像変更制御手段として機能させる、画像処理プログラム。
　
４　先願
　査定の理由として示された先願である特願２００８−５４７３７号（特開２００９−２０７７３０号公報参照）の当初明細書等には、表示玩具が記載されており、その特徴は「手書きに対応する目、鼻、口の画像が表示されているときに・・・遊戯初期画面で前記手書きに対応して表示された目、鼻、口のそれぞれを表示する画像の相対的位置を維持した状態で、前記領域の少なくとも一つに対し、当該領域全体を拡大し、縮小し、或いは傾ける等の表示変更を行う」（【請求項１】）ものである。
　「手書きに対応する目、鼻、口の画像」は、図６（ａ）のように表示され、口の画像に関して、
「【００４８】
　そして、「口」エリアMに表示される画像については、図６（ａ）に示したように、第１エリアMaの中にのみに口が描かれ、その描かれた部分の座標位置に対応する液晶表示画素が描き込み画像として表示されている。この場合、表示玩具1は描かれた口を「小」と認識して、表示変更パターンを決定する。「小」と認識されたときの、第一の哀しみ状態を表す口は、予め備えた画像データから表示変更規則にしたがって選択され、図６（ｂ）に示したように、描き込み画像の換わりに、小さな「へ」の字口の画像が差し換えられて表示される。
【００４９】
　尚、口の「大」「小」の認識規則は、遊戯者によって、「口」エリアMの第１エリアMaのみに手書きされた場合、第１エリアMa及び第２エリアMb若しくは第３エリアMcに手書きされた場合に「小」と認知し、第１エリアMa及び第２エリアMb及び第３エリアMcに手書きされた場合に「大」と認知し、第２エリアMbのみ或いは第３エリアMcのみに手書きされたときは、該領域を表示状態とはせず、再度遊戯者に手書きするように促すこととした。」
　とされるものである。
　
　これらのことから、先願当初明細書等には、次の表示玩具の記載が認められる。
　
［先願の表示玩具］
「手書きに対応する目、鼻、口の画像が表示されているときに・・・遊戯初期画面で前記手書きに対応して表示された目、鼻、口のそれぞれを表示する画像の相対的位置を維持した状態で、前記領域の少なくとも一つに対し、当該領域全体を拡大し、縮小し、或いは傾ける等の表示変更を行う」ことを特徴とする表示玩具であって、
　「手書きに対応する目、鼻、口の画像」は、図６（ａ）のように表示され、口の画像に関して、
「【００４８】
　そして、「口」エリアMに表示される画像については、図６（ａ）に示したように、第１エリアMaの中にのみに口が描かれ、その描かれた部分の座標位置に対応する液晶表示画素が描き込み画像として表示されている。この場合、表示玩具1は描かれた口を「小」と認識して、表示変更パターンを決定する。「小」と認識されたときの、第一の哀しみ状態を表す口は、予め備えた画像データから表示変更規則にしたがって選択され、図６（ｂ）に示したように、描き込み画像の換わりに、小さな「へ」の字口の画像が差し換えられて表示される。
【００４９】
　尚、口の「大」「小」の認識規則は、遊戯者によって、「口」エリアMの第１エリアMaのみに手書きされた場合、第１エリアMa及び第２エリアMb若しくは第３エリアMcに手書きされた場合に「小」と認知し、第１エリアMa及び第２エリアMb及び第３エリアMcに手書きされた場合に「大」と認知し、第２エリアMbのみ或いは第３エリアMcのみに手書きされたときは、該領域を表示状態とはせず、再度遊戯者に手書きするように促すこととした。」
　表示玩具。
　
　この先願の表示玩具がコンピュータ技術を用いて実現していることは明らかであって、上記表示玩具を動作させるコンピュータプログラムも先願の当初明細書等に開示されているというべきである。
　この先願の当初明細書等に開示されているというべき、表示玩具を動作させるコンピュータプログラムを先願発明とする。
　
［先願発明］
［先願の表示玩具］
「手書きに対応する目、鼻、口の画像が表示されているときに・・・遊戯初期画面で前記手書きに対応して表示された目、鼻、口のそれぞれを表示する画像の相対的位置を維持した状態で、前記領域の少なくとも一つに対し、当該領域全体を拡大し、縮小し、或いは傾ける等の表示変更を行う」ことを特徴とする表示玩具であって、
　「手書きに対応する目、鼻、口の画像」は、図６（ａ）のように表示され、口の画像に関して、
「【００４８】
　そして、「口」エリアMに表示される画像については、図６（ａ）に示したように、第１エリアMaの中にのみに口が描かれ、その描かれた部分の座標位置に対応する液晶表示画素が描き込み画像として表示されている。この場合、表示玩具1は描かれた口を「小」と認識して、表示変更パターンを決定する。「小」と認識されたときの、第一の哀しみ状態を表す口は、予め備えた画像データから表示変更規則にしたがって選択され、図６（ｂ）に示したように、描き込み画像の換わりに、小さな「へ」の字口の画像が差し換えられて表示される。
【００４９】
　尚、口の「大」「小」の認識規則は、遊戯者によって、「口」エリアMの第１エリアMaのみに手書きされた場合、第１エリアMa及び第２エリアMb若しくは第３エリアMcに手書きされた場合に「小」と認知し、第１エリアMa及び第２エリアMb及び第３エリアMcに手書きされた場合に「大」と認知し、第２エリアMbのみ或いは第３エリアMcのみに手書きされたときは、該領域を表示状態とはせず、再度遊戯者に手書きするように促すこととした。」
　表示玩具を動作させるコンピュータプログラム。
　
５　対比
　本願発明と先願発明とを対比する。
　
（１）「ポインティングデバイスからの出力に応じて生成された画像に所定の処理を施す装置のコンピュータで実行される画像処理プログラム」
　
　先願発明は表示玩具を動作させるコンピュータプログラムであり、表示玩具で表示変更を行うから「画像処理」がなされていると認められる。
　先願発明における「表示変更」は「手書きに対応して表示された目、鼻、口のそれぞれを表示する画像の相対的位置を維持した状態で、前記領域の少なくとも一つに対し、当該領域全体を拡大し、縮小し、或いは傾ける等」するものであり、この「手書き」はポインティングデバイスでなされると認められるから、「ポインティングデバイスからの出力に応じて生成された画像に所定の処理を施す」ものといえる。
　したがって、本願発明と先願発明とは「ポインティングデバイスからの出力に応じて生成された画像に所定の処理を施す装置のコンピュータで実行される画像処理プログラム」という点で一致する。
　
（２）「前記ポインティングデバイスの出力に基づいて、入力画像を生成する画像生成手段」
　
　先願発明では「手書きに対応する目、鼻、口の画像」は、図６（ａ）のように表示され、手書き、すなわち、ポインティングデバイスを用いることで、図６（ａ）のように表示される目、鼻、口の画像が生成されているといえるから、先願発明のプログラムはコンピュータを「前記ポインティングデバイスの出力に基づいて、入力画像を生成する画像生成手段」として機能させるといえ、この点で本願発明と先願発明とは一致する。
　
（３）「前記画像生成手段が生成した入力画像を表示手段に表示する画像表示制御手段」
　
　先願発明では「手書きに対応する目、鼻、口の画像」は、図６（ａ）のように表示され、「画像生成手段」について上記のとおり一致すると判断されるから、本願発明と先願発明とは、コンピュータを「前記画像生成手段が生成した入力画像を表示手段に表示する画像表示制御手段」として機能させる点で一致する。
　
（４）「前記画像生成手段が生成した入力画像を複数の部分画像に分解し、当該部分画像（ただし、入力画像の形状にかかわらず予め設定された複数の固定的な領域に当該入力画像が分解された複数の部分画像を除く）ごとに、表示位置および表示態様の少なくとも一方を変更する処理を実行する画像変更制御手段」
　
　ａ　「前記画像生成手段が生成した入力画像を複数の部分画像に分解し、当該部分画像ごとに、表示位置および表示態様の少なくとも一方を変更する処理を実行する画像変更制御手段」
　
　先願発明では、「手書きに対応する目、鼻、口の画像が表示されているときに・・・遊戯初期画面で前記手書きに対応して表示された目、鼻、口のそれぞれを表示する画像の相対的位置を維持した状態で、前記領域の少なくとも一つに対し、当該領域全体を拡大し、縮小し、或いは傾ける等の表示変更を行」っている。
　「手書きに対応して表示された目、鼻、口」は、図６の領域Ｅ、Ｎ、Ｍで「目、鼻、口」に分解されているといえ、「前記画像生成手段が生成した入力画像を複数の部分画像に分解し、」ということができる。
　「目、鼻、口のそれぞれを表示する画像の相対的位置を維持した状態で、前記領域の少なくとも一つに対し、当該領域全体を拡大し、縮小し、或いは傾ける等の表示変更を行」うから、「当該部分画像ごとに、表示位置および表示態様の少なくとも一方を変更する処理を実行する」ということかできる。
　そして、先願発明のプログラムは、コンピュータをそのような手段として機能させているといえるから、本願発明と先願発明とは、コンピュータを「前記画像生成手段が生成した入力画像を複数の部分画像に分解し、当該部分画像ごとに、表示位置および表示態様の少なくとも一方を変更する処理を実行する画像変更制御手段」として機能させる点で一致する。
　
　ｂ「（ただし、入力画像の形状にかかわらず予め設定された複数の固定的な領域に当該入力画像が分解された複数の部分画像を除く）」
　
　本願発明の「（ただし、入力画像の形状にかかわらず予め設定された複数の固定的な領域に当該入力画像が分解された複数の部分画像を除く）」における「入力画像の形状にかかわらず予め設定された複数の固定的な領域に当該入力画像が分解された複数の部分画像」というのは、「当該入力画像が分解された複数の部分画像」の分解が「入力画像の形状にかかわらず予め設定された複数の固定的な領域に」分解されたものであることをいうものであり、入力画像の分解の仕方を特定するものと認められる。
　
　先願発明について上記したように「手書きに対応して表示された目、鼻、口」は、図６の領域Ｅ、Ｎ、Ｍで「目、鼻、口」に分解されているといえ、手書きとして図６のようでないものを書いたとしても、図６の領域Ｅ、Ｎ、Ｍで分解されると認められるから、先願発明はこの点で本願発明で除かれるの「入力画像の形状にかかわらず予め設定された複数の固定的な領域に当該入力画像が分解された複数の部分画像」に相当するといえ、この点では、これを除かれた本願発明と相違する。
　
　先願発明は領域Ｍ（口の部分）について、
「口」エリアMに表示される画像については、図６（ａ）に示したように、第１エリアMaの中にのみに口が描かれ、その描かれた部分の座標位置に対応する液晶表示画素が描き込み画像として表示されている。この場合、表示玩具1は描かれた口を「小」と認識して、表示変更パターンを決定する。「小」と認識されたときの、第一の哀しみ状態を表す口は、予め備えた画像データから表示変更規則にしたがって選択され、図６（ｂ）に示したように、描き込み画像の換わりに、小さな「へ」の字口の画像が差し換えられて表示される。
【００４９】
　尚、口の「大」「小」の認識規則は、遊戯者によって、「口」エリアMの第１エリアMaのみに手書きされた場合、第１エリアMa及び第２エリアMb若しくは第３エリアMcに手書きされた場合に「小」と認知し、第１エリアMa及び第２エリアMb及び第３エリアMcに手書きされた場合に「大」と認知し、第２エリアMbのみ或いは第３エリアMcのみに手書きされたときは、該領域を表示状態とはせず、再度遊戯者に手書きするように促すこととした。」
　構成を有している。
　
　ここで、口が描かれる態様として、「第１エリアMaのみに手書きされた場合」「第１エリアMa及び第２エリアMb若しくは第３エリアMcに手書きされた場合」「第１エリアMa及び第２エリアMb及び第３エリアMcに手書きされた場合」「第２エリアMbのみ或いは第３エリアMcのみに手書きされたとき」が認められ、先願発明は、この口が描かれる態様に対して、順に「小」「小」「大」「表示状態とはせず」と判別され、それに対応した処理がなされる。
　ここで「小」「小」「大」と判別される場合は、口が描かれる態様が異なっても、すなわち、「入力画像の形状にかかわらず」、第１エリアMa、第２エリアMb、第３エリアMcを一体として口と捉えている。「表示状態とはせず」とする場合も、これを目や鼻とするのではなく、同じく口と捉えていると認められる。
　このことから、先願発明は「入力画像の形状にかかわらず」という構成を有している。
　しかしながら、先願発明で「入力画像の形状にかかわらず」行うのは、口の部分における大小判断もしくは表示せずの判断である。この口の部分における大小判断もしくは表示せずの判断は、既に第１エリアMa、第２エリアMb、第３エリアMcを一体とした領域Ｍによって、目、鼻と区別された口の部分における判断であり、入力画像の分解は第１エリアMa、第２エリアMb、第３エリアMcを一体とした領域Ｍによって既になされているというべきである。したがって、上記先願発明の領域Ｍ（口の部分）における「入力画像の形状にかかわらず」行う判断の構成は、入力画像を分解する構成ということができず、上記先願発明の領域Ｍ（口の部分）の構成に「入力画像の形状にかかわらず予め設定された複数の固定的な領域に当該入力画像が分解された複数の部分画像」以外の分解された部分画像を認めることができない。
　また、他にも先願発明に「入力画像の形状にかかわらず予め設定された複数の固定的な領域に当該入力画像が分解された複数の部分画像」以外の分解された部分画像を認めることができない。
　また、「入力画像の形状にかかわらず予め設定された複数の固定的な領域に当該入力画像が分解された複数の部分画像」以外の分解の仕方、そのように分解された部分画像が、画像処理の分野のそれぞれの場面において、もしくは一般的な技術として知られていたとしても、先願発明にそのようなものを認めることはできない。
　したがって、「分解」に係る構成として、先願発明は「入力画像の形状にかかわらず予め設定された複数の固定的な領域に当該入力画像が分解された複数の部分画像」しか有さないものと認められ、コンピュータを「前記画像生成手段が生成した入力画像を複数の部分画像に分解し、当該部分画像ごとに、表示位置および表示態様の少なくとも一方を変更する処理を実行する画像変更制御手段」として機能させるとき、本願発明は、「（ただし、入力画像の形状にかかわらず予め設定された複数の固定的な領域に当該入力画像が分解された複数の部分画像を除く）」ものであることに対し、先願発明はそうでない点で相違すると認められる。
　
（５）一致点相違点
　以上のとおり対比されるから、本願発明と先願発明との一致点、相違点は次のとおりである。
　
［一致点］
　ポインティングデバイスからの出力に応じて生成された画像に所定の処理を施す装置のコンピュータで実行される画像処理プログラムであって、
　前記コンピュータを、
　　前記ポインティングデバイスの出力に基づいて、入力画像を生成する画像生成手段と、
　　前記画像生成手段が生成した入力画像を表示手段に表示する画像表示制御手段と、
　　前記画像生成手段が生成した入力画像を複数の部分画像に分解し、当該部分画像ごとに、表示位置および表示態様の少なくとも一方を変更する処理を実行する画像変更制御手段として機能させる、画像処理プログラム。
　
［相違点］
　コンピュータを「前記画像生成手段が生成した入力画像を複数の部分画像に分解し、当該部分画像ごとに、表示位置および表示態様の少なくとも一方を変更する処理を実行する画像変更制御手段」として機能させるとき、本願発明は、「（ただし、入力画像の形状にかかわらず予め設定された複数の固定的な領域に当該入力画像が分解された複数の部分画像を除く）」ものであることに対し、先願発明はそうでない点。
　
６　判断
　以上のとおり対比され、本願発明と先願発明とは相違し、本件出願の請求項１に係る発明が、他の特許出願（特願２００８−５４７３７号）（特開２００９−２０７７３０号公報）の当初明細書等に記載された発明と同一であるということはできない。
　したがって、原査定の理由によって、本件出願を拒絶することはできない。
　
７　むすび
　以上のとおり、本件出願については、原査定の拒絶理由を検討してもその理由によって拒絶すべきものとすることはできない。
　また、他に本件出願を拒絶すべき理由を発見しない。
　よって、結論のとおり審決する。